(57)【要約】【課題】磁気テープを再生する回転ドラム装置において、再生信号のエラーレートを改善することを課題とする。【解決手段】固定ドラム１１と、回転ドラム１５と、対向している固定側ロータリトランス２０及び回転側ロータリトランス２２とを有する。固定側ロータリトランス２０はピエゾ素子３０−１、３０−２、３０−３が介在した状態で固定ドラム１１に接着されている。電圧が印加されてピエゾ素子３０−１〜３０−３が歪んで厚さ増すと、固定側ロータリトランス２０と回転側ロータリトランス２２との間のギャップＧが狭くされて、再生信号のエラーレートが改善され、回転ドラム装置の寿命が延びる。【選択図】        図１
2004335054.tif 000002
【特許請求の範囲】
【請求項１】
固定ドラムと、回転磁気ヘッドが固定してある回転ドラムと、固定側ロータリトランスと、該固定側ロータリトランスと対向する回転側ロータリトランスとを有する回転ドラム装置において、
電圧等を印加することによって、固定側ロータリトランスと回転側ロータリトランスとの間のギャップを現在の状態よりも狭くするギャップ狭化手段を有する構成としたことを特徴とする回転ドラム装置。
【請求項２】
固定ドラムと、回転磁気ヘッドが固定してある回転ドラムと、固定側ロータリトランスと、該固定側ロータリトランスと対向する回転側ロータリトランスとを有する回転ドラム装置において、
電圧等を印加することによって、固定側ロータリトランスと回転側ロータリトランスとの間のギャップを現在の状態よりも狭くするギャップ狭化手段と、
記録又は再生信号の品質が低下してきた場合に、ギャップ狭化手段を動作させて、固定側ロータリトランスと回転側ロータリトランスとの間のギャップを現在の状態よりも狭くして、記録又は再生信号の品質の回復を図る制御手段とよりなる構成としたことを特徴とする回転ドラム装置。
【請求項３】
固定ドラムと、回転磁気ヘッドが固定してある回転ドラムと、固定側ロータリトランスと、該固定側ロータリトランスと対向する回転側ロータリトランスとを有する回転ドラム装置において、
電圧等を印加することによって、固定側ロータリトランスと回転側ロータリトランスとの間のギャップを狭くするギャップ狭化手段と、
固定側ロータリトランスと回転側ロータリトランスとがこすれあったことを検出するセンサと、
記録又は再生信号の品質が低下してきた場合に、ギャップ狭化手段を動作させて、固定側ロータリトランスと回転側ロータリトランスとの間のギャップを狭くし、上記センサが固定側ロータリトランスと回転側ロータリトランスとがこすれあったことを検出した後に、上記ギャップ狭化手段を今までとは逆方向に動作させて、固定側ロータリトランスと回転側ロータリトランスとの間に最初の状態よりも狭いギャップを形成して、記録又は再生信号の品質の回復を図る制御手段とよりなる構成としたことを特徴とする回転ドラム装置。
【請求項４】
請求項１乃至請求項３のうち何れか一項に記載の回転ドラム装置において、
該ギャップ狭化手段は、印加される電圧等によって変形するピエゾ素子よりなり、
上記固定ドラムは、中心側又は外周側に、上面が回転ドラムの軸線に対して垂直な平面である環状の凸部を有する形状であり、
上記固定側ロータリトランスは、中心側又は外周側の部分を上記環状の凸部の上面に載置され、上記環状の凸部の上面に搭載される側の反対側の部分を上記ピエゾ素子を介して上記固定ドラムに接着されて固定してある構成としたことを特徴とする回転ドラム装置。
【請求項５】
請求項２に記載の回転ドラム装置において、
上記制御手段は、固定側ロータリトランスと回転側ロータリトランスとの間の最小限ギャップを固定側ロータリトランスと回転側ロータリトランスとの間のインダクタンス値として記憶しておき、この記憶してあるインダクタンス値を参照しつつ上記最小限ギャップにまで到る範囲において、上記ギャップ狭化手段を動作させる構成としたことを特徴とする回転ドラム装置。
【請求項６】
請求項２に記載の回転ドラム装置において、
上記ギャップ狭化手段は、印加される電圧等によって変形するピエゾ素子よりなり、
上記制御手段は、固定側ロータリトランスと回転側ロータリトランスとの間の最小限ギャップを上記ピエゾ素子に印加する電圧値として記憶しておき、この記憶してある電圧値を参照しつつ上記最小限ギャップにまで到る範囲において、上記ピエゾ素子を動作させる構成としたことを特徴とする回転ドラム装置。
【発明の詳細な説明】
【０００１】
【発明の属する技術分野】
本発明は回転ドラム装置に係り、特に磁気テープに情報の記録再生を行う回転ドラム装置に関する。
【０００２】
【従来の技術】
一般的に、回転ドラム装置は、固定側ロータリトランスが固定してある固定ドラムと、回転磁気ヘッドと回転側ロータリトランスとが固定してある回転ドラムと、固定ドラムの下側に固定してあるモータとよりなり、回転ドラムが、固定ドラムに支持されているモータ回転軸の上部に圧入されて固定してあり、回転側ロータリトランスと固定側ロータリトランスとが狭いギャップで対向している構成である。この回転ドラム装置は、例えばＤＡＴ（Ｄｉｇｉｔａｌ  Ａｕｄｉｏ  Ｔａｐｅ）記録再生装置等の磁気テープ記録再生装置に組み込まれて使用される。
【０００３】
このＤＡＴ記録再生装置においては、記録再生信号のエラーレートが所定の許容値以下であることが必要である。一方、ＤＡＴ記録再生装置は長い期間使用しているうちに、回転磁気ヘッドの磨耗や汚れ等によって、記録再生信号のエラーレートが増えてくる。
【０００４】
記録再生信号のエラーレートの低下の原因の一つである回転磁気ヘッドの汚れについては、クリーニングテープを使用することにより略解決できるが、回転磁気ヘッドの磨耗が進むと記録再生装置の寿命となってしまう。
【０００５】
【発明が解決しようとする課題】
回転磁気ヘッドクリーニングテープを使用して回転磁気ヘッドをクリーニングしても記録再生信号のエラーレートが充分に回復できなくなると、ＤＡＴ記録再生装置は寿命となり、これ以上寿命を延ばすことは出来なかった。
【０００６】
そこで、本発明は、回転側ロータリトランスと固定側ロータリトランスとの間のギャップを狭くすると記録再生信号のエラーレートが回復することに着目して、上記課題を解決した回転ドラム装置を提供することを目的とする。
【０００７】
【課題を解決するための手段】
請求項１の発明は、固定ドラムと、回転磁気ヘッドが固定してある回転ドラムと、固定側ロータリトランスと、該固定側ロータリトランスと対向する回転側ロータリトランスとを有する回転ドラム装置において、
電圧等を印加することによって、固定側ロータリトランスと回転側ロータリトランスとの間のギャップを現在の状態よりも狭くするギャップ狭化手段を有する構成としたものである。
【０００８】
例えば記録再生信号の品質が低下してきた場合に、ギャップ狭化手段を動作させて固定側ロータリトランスと回転側ロータリトランスとの間のギャップを現在の状態よりも狭くすることによって、記録再生信号の品質を回復させることが可能となり、回転ドラム装置を延命させて寿命を従来よりも長くすることが可能となる。
【０００９】
請求項２の発明は、固定ドラムと、回転磁気ヘッドが固定してある回転ドラムと、固定側ロータリトランスと、該固定側ロータリトランスと対向する回転側ロータリトランスとを有する回転ドラム装置において、
電圧等を印加することによって、固定側ロータリトランスと回転側ロータリトランスとの間のギャップを現在の状態よりも狭くするギャップ狭化手段と、
記録又は再生信号の品質が低下してきた場合に、ギャップ狭化手段を動作させて、固定側ロータリトランスと回転側ロータリトランスとの間のギャップを現在の状態よりも狭くして、記録又は再生信号の品質の回復を図る制御手段とよりなる構成としたものである。
【００１０】
回転ドラム装置が長期間に亘って使用されてきて記録再生信号の品質が低下してきた場合に、ギャップ狭化手段を動作させて固定側ロータリトランスと回転側ロータリトランスとの間のギャップを現在の状態よりも狭くすることによって、再生信号の品質を回復させることが可能となり、回転ドラム装置を延命させて寿命を従来よりも長くすることが可能となる。
【００１１】
請求項３の発明は、固定ドラムと、回転磁気ヘッドが固定してある回転ドラムと、固定側ロータリトランスと、該固定側ロータリトランスと対向する回転側ロータリトランスとを有する回転ドラム装置において、
電圧等を印加することによって、固定側ロータリトランスと回転側ロータリトランスとの間のギャップを狭くするギャップ狭化手段と、
固定側ロータリトランスと回転側ロータリトランスとがこすれあったことを検出するセンサと、
記録又は再生信号の品質が低下してきた場合に、ギャップ狭化手段を動作させて、固定側ロータリトランスと回転側ロータリトランスとの間のギャップを狭くし、上記センサが固定側ロータリトランスと回転側ロータリトランスとがこすれあったことを検出した後に、上記ギャップ狭化手段を今までとは逆方向に動作させて、固定側ロータリトランスと回転側ロータリトランスとの間に最初の状態よりも狭いギャップを形成して、記録又は再生信号の品質の回復を図る制御手段とよりなる構成としたものである。
【００１２】
固定側ロータリトランスと回転側ロータリトランスとの間のギャップを両者がこすれあうまで狭くして、この状態を基準にしてギャップを僅かにあけるようにしてあるため、ギャップを一気に狭くすることが可能となる。回転ドラム装置が長期間に亘って使用されてきて記録再生信号の品質が低下してきた場合に、ギャップ狭化手段を動作させて固定側ロータリトランスと回転側ロータリトランスとの間のギャップを最初の状態よりも一気に狭くすることによって、再生信号の品質を効果的に回復させることが可能となり、回転ドラム装置を延命させて寿命を従来よりも長くすることが可能となる。
【００１３】
請求項４の発明は、請求項１乃至請求項３のうち何れか一項に記載の回転ドラム装置において、
該ギャップ狭化手段は、印加される電圧等によって変形するピエゾ素子よりなり、
上記固定ドラムは、中心側又は外周側に、上面が回転ドラムの軸線に対して垂直な平面である環状の凸部を有する形状であり、
上記固定側ロータリトランスは、中心側又は外周側の部分を上記環状の凸部の上面に載置され、上記環状の凸部の上面に搭載される側の反対側の部分を上記ピエゾ素子を介して上記固定ドラムに接着されて固定してある構成としたものである。
【００１４】
固定側ロータリトランスの姿勢は中心側又は外周側の部分を上記環状の凸部の上面によって決定されて、回転ドラムの軸線に対して垂直とされる。
【００１５】
請求項５の発明は、請求項２に記載の回転ドラム装置において、
上記制御手段は、固定側ロータリトランスと回転側ロータリトランスとの間の最小限ギャップを固定側ロータリトランスと回転側ロータリトランスとの間のインダクタンス値として記憶しておき、この記憶してあるインダクタンス値を参照しつつ上記最小限ギャップにまで到る範囲において、上記ギャップ狭化手段を動作させる構成としたものである。
【００１６】
インダクタンス値を利用することによって固定側ロータリトランスと回転側ロータリトランスとの間のギャップが最小限ギャップであるか否かを判断出来、ギャップが最小限ギャップであるか否かを判断できることによって、記録再生信号の品質の回復を固定側ロータリトランスと回転側ロータリトランスとがこすれ合う事態を引き起こすことなく行うことが出来る。
【００１７】
請求項６の発明は、請求項２に記載の回転ドラム装置において、
上記ギャップ狭化手段は、印加される電圧等によって変形するピエゾ素子よりなり、
上記制御手段は、固定側ロータリトランスと回転側ロータリトランスとの間の最小限ギャップを上記ピエゾ素子に印加する電圧値として記憶しておき、この記憶してある電圧値を参照しつつ上記最小限ギャップにまで到る範囲において、上記ピエゾ素子を動作させる構成としたものである。
【００１８】
電圧値を利用することによって固定側ロータリトランスと回転側ロータリトランスとの間のギャップが最小限ギャップであるか否かを判断出来、ギャップが最小限ギャップであるか否かを判断できることによって、記録再生信号の品質の回復を固定側ロータリトランスと回転側ロータリトランスとがこすれ合う事態を引き起こすことなく行うことが出来る。
【００１９】
【発明の実施の形態】
図１（Ａ）、（Ｂ）は本発明の第１実施例になる回転ドラム装置１０を示す。回転ドラム装置１０は、固定ドラム１１と、回転ドラム１５と、回転ドラム１５を回転させるモータ１６とを有する。固定ドラム１１には、固定側ロータリトランス２０が支持してある。回転ドラム１５には、回転磁気ヘッド２１及び回転側ロータリトランス２２が固定してある。モータ１６の回転軸１７は、固定ドラム１１の筒部１２内の軸受２３に支持されている。回転ドラム１５は回転軸１７の上部に圧入されて固定してある。回転側ロータリトランス２２と固定側ロータリトランス２０とは接近して対向しており、両者間のギャップＧは例えば３０μｍである。
【００２０】
ここで、ギャップＧは、回転ドラム１５を回転軸１７に圧入したときの最終位置によって決定されるものであり、圧入装置の精度等を考慮して３０μｍに定めてある。また、ギャップＧと、回転側ロータリトランス２２と固定側ロータリトランス２０との間のインダクタンスＬとの間には、ギャップＧが狭くなるとインダクタンスＬが高くなる相関関係があり、インダクタンスＬの値よりそのときのギャップＧの値を知ることが出来る。上記の回転ドラム１５の回転軸１７への圧入はインダクタンスＬをモニターしながら行い、インダクタンスＬが所定の値になった時点で終了する。
【００２１】
なお、ギャップＧは、圧入装置の精度等を考慮して３０μｍに定めてあるけれども、ロータリトランスの位置の精度を上げることが可能であれば、ギャップＧは１５μｍまでは狭くすることが可能である。１５μｍは最小限ギャップである。この最小限ギャップの情報は、回転側ロータリトランス２２と固定側ロータリトランス２０との間のインダクタンス値として、或いは、後述するピエゾ素子３０−１〜３０−３に印加する電圧値として、後述するメモリ４１に記憶させてある。なお、ここで示されたギャップＧの数値は一つの実施例であり、この限りではない。
【００２２】
図２に併せて示すように、回転側ロータリトランス２２は、中心側の部分を回転ドラム１５の筒部１５の下端面に接着して固定してある。
【００２３】
固定ドラム１１は、固定側ロータリトランス取り付け部１３を有する。固定側ロータリトランス取り付け部１３は、環状の平面部１３ａと、中央寄りの環状凸部１３ｂとよりなる。環状凸部１３ｂは、環状の頂上平面部１３ｃを有する。３０−１、３０−２、３０−３はピエゾ素子であり、周方向上等間隔に配置してある。
【００２４】
固定側ロータリトランス２０は、中心側の部分を環状凸部１３ｂの環状の頂上平面部１３ｃ上に載って支持され、外周寄りの部分を、固定側ロータリトランス２０と平面部１４との間にピエゾ素子３０−１、３０−２、３０−３が介在した状態で平面部１４に接着されている。３１，３２は接着層である。接着層３１はピエゾ素子３０−１と固定側ロータリトランス２０との間に存在し、接着層３２はピエゾ素子３０−１と平面部１４との間に存在している。この固定側ロータリトランス２０は、頂上平面部１３ｃに押し付けて回転ドラム１５の軸線Ｚに対して垂直とし、この状態を維持して接着剤を硬化させることによって、固定ドラム１１に固定してある。ピエゾ素子３０−１、３０−２、３０−３は、電圧を印加させることによって、厚さｔの方向に歪んで、厚さが増す構造である。
【００２５】
また、図１に示すように、回転ドラム装置１０に関連して、制御回路４０、インダクタンスＬとギャップＧとの相関表が記憶してあるメモリ４１、回転磁気ヘッド２１がピックアップした信号を再生する再生回路４２、再生信号のエラーレートを測定するエラーレート測定回路４３、回転側ロータリトランス２２と固定側ロータリトランス２０との間のインダクタンスＬを測定するインダクタンス測定回路４４と、ピエゾ素子３０−１〜３０−３に電圧を印加するピエゾ素子駆動回路４５、表示部４６、表示部駆動回路４７が設けてある。
【００２６】
回転ドラム装置１０は、ＤＡＴ記録再生装置に組み込まれて使用される。
【００２７】
ＤＡＴ記録再生装置の動作の開始時毎に、制御回路４０は動作する。エラーレート測定回路４３からの出力が示す再生信号のエラーレートが許容値以下である場合には、制御回路４０は特別には動作せず、回転ドラム装置１０及びＤＡＴ記録再生装置は通常に動作する。
【００２８】
回転ドラム装置１０が組み込んであるＤＡＴ記録再生装置が長い期間に亘って使用され、動作の開始時のエラーレート測定回路４３からの出力が示す再生信号のエラーレートが許容値を越えた場合には、制御回路４０によって表示部駆動回路４７が動作されて、表示部４６に回転磁気ヘッドクリーニングテープを使用する旨の表示がなされる。操作者がクリーニングテープをセットして回転磁気ヘッドをクリーニングし、その結果、再生信号のエラーレートが改善されて許容値以下となった場合には、回転ドラム装置１０及びＤＡＴ記録再生装置は通常に動作する。
【００２９】
回転磁気ヘッドをクリーニングしても、記録再生信号のエラーレートが許容値以下にならない場合には、従来は、この段階で、回転ドラム装置１０及びＤＡＴ記録再生装置は寿命となって動作しなくなってしまう。ところが、本願発明では、以下の延命措置が採られる。
【００３０】
制御回路４０はメモリ４１に記憶してある相関表を読み取り、制御回路４０によってピエゾ素子駆動回路４５が動作され、ピエゾ素子３０−１〜３０−３に所定の電圧が印加されてピエゾ素子３０−１〜３０−３の厚さｔが増し、固定側ロータリトランス２０を押し上げてＺ１方向に、即ち、回転側ロータリトランス２２の方向に、変位させ、ギャップＧをそれまでのギャップより５μｍ減らして２５μｍとする。ギャップＧが２５μｍとなったことは、インダクタンス測定回路４４の出力をモニターすることによって確認できる。ギャップＧを狭くされて再生信号のエラーレートが改善されて許容値以下となった場合には回転ドラム装置１０及びＤＡＴ記録再生装置は通常に動作することが可能となる。なお、ギャップＧが狭くされると、固定側ロータリトランス２０は環状凸部１５の頂上平面部１３ｃより浮いた状態となる。
【００３１】
ギャップＧを狭くされても記録再生信号のエラーレートが依然として許容値以上である場合には、ピエゾ素子３０−１〜３０−３に印加する電圧を上げて、ギャップを更に５μｍ減らして２０μｍとする。これによって、記録再生信号のエラーレートが改善されて許容値以下となった場合には回転ドラム装置１０及びＤＡＴ記録再生装置は通常に動作することが可能となる。しかし、記録再生信号のエラーレートが依然として許容値以上である場合には、ピエゾ素子３０−１〜３０−３に印加する電圧を更に上げて、ギャップを更に５μｍ減らして１５μｍとする。これによって、再生信号のエラーレートが改善されて許容値以下となった場合には回転ドラム装置１０及びＤＡＴ記録再生装置は通常に動作することが可能となる。
【００３２】
しかし、ギャップＧが最小限ギャップ１５μｍである状態で再生信号のエラーレートが依然として許容値以上である場合には、回転ドラム装置１０及びＤＡＴ記録再生装置は寿命であると判断され、始めて動作しなくなる。
【００３３】
なお、制御回路４０及びメモリ４１はマイクロコンピュータ５０で構成してあり、このマイクロコンピュータ５０は、延命措置のため図３及び図４に示すように動作する。
【００３４】
電源を投入させ、ギャップが（最小限値＋１５μｍ）となるようにピエゾ素子３０−１〜３０−３を駆動させ、その後に記録又は再生信号のエラーレートを測定し、エラーレートが許容値を越えていない場合には、回転ドラム装置及びＤＡＴ記録再生装置を通常に動作させる（ＳＴ１〜ＳＴ４，ＳＴ１４）。エラーレートが許容値を越えている場合には、回転磁気ヘッドクリーニングを行う旨の表示をする（ＳＴ４、ＳＴ５）。
【００３５】
回転磁気ヘッドクリーニングを終了したことを確認したのちに記録又は再生信号のエラーレートを測定し、エラーレートが改善されて許容値以下となっている場合には、回転ドラム装置及びＤＡＴ記録再生装置を通常に動作させる（ＳＴ６〜ＳＴ８，ＳＴ１４）。
【００３６】
記録又は再生信号のエラーレートが依然として許容値を越えている場合には、ギャップを５μｍ狭くするようにピエゾ素子３０−１〜３０−３を駆動させ、その後に記録又は再生信号のエラーレートを測定し、エラーレートが改善されて許容値以下となっている場合には、回転ドラム装置及びＤＡＴ記録再生装置を通常に動作させる（ＳＴ９〜ＳＴ１１，ＳＴ１４）。
【００３７】
ＳＴ１１が記録又は再生信号のエラーレートが依然として許容値を越えていると判断した場合には、現在のインダクタンス値或いは電圧値をメモリ４１に記憶してあるインダクタンス値或いは電圧値と比較して、ギャップが最小値であるか否かを確認して、ギャップが最小値でないときには、ギャップを５μｍ狭くするようにピエゾ素子３０−１〜３０−３を駆動させ、その後に記録又は再生信号のエラーレートを測定し、エラーレートが改善されて許容値以下となっているか否かを判断し、エラーレートが改善されて許容値以下となっている場合には、回転ドラム装置及びＤＡＴ記録再生装置を通常に動作させる（ＳＴ１２、ＳＴ９、ＳＴ１０、ＳＴ１１、ＳＴ１４）。このギャップを５μｍ狭くして記録又は再生信号のエラーレートが改善させる動作は、もう一度可能である。
【００３８】
ＳＴ１２がギャップが最小値であると判断した場合には、回転ドラム装置及びＤＡＴ記録再生装置の動作を禁止させる（ＳＴ１２，ＳＴ１３）。
【００３９】
図５（Ａ）、（Ｂ）は本発明の第２実施例になる回転ドラム装置１０Ａを示し、図６は回転ドラム装置１０Ａの一部を拡大して示す。回転ドラム装置１０Ａは、図１（Ａ）、（Ｂ）に示す回転ドラム装置１０に、衝撃を受けた検出することによってロータリトランス同士がこすれたことを検出するセンサ６０が追加してある構成である。センサ６０は、回転ドラム１５に固定してあり、回転側ロータリトランス２２の上面に接触している。
【００４０】
回転磁気ヘッドをクリーニングしても、記録再生信号のエラーレートが許容値以下にならない場合に、制御回路４０Ａによってモータ駆動回路６１が動作されてモータ１６が通常よりも相当に低速で駆動され、また、制御回路４０Ａによってピエゾ素子駆動回路４５が動作され、ピエゾ素子３０−１〜３０−３に電圧が印加されてピエゾ素子３０−１〜３０−３の厚さｔが増し、固定側ロータリトランス２０を押し上げてＺ１方向に変位させ、ギャップＧを狭め、固定側ロータリトランス２０が回転側ロータリトランス２２に接触してこすれる状態とする。センサ５０が固定側ロータリトランス２０が回転側ロータリトランス２２にこすれたことを検出すると、ピエゾ素子３０−１〜３０−３に印加する電圧をギャップ５μｍに相当する分低下させ、ピエゾ素子３０−１〜３０−３を厚さが薄くなるようにして、固定側ロータリトランス２０を今度は回転側ロータリトランス２２から僅かに離れるようにして、ギャップＧが５μｍとなるようにする。このように、固定側ロータリトランス２０と回転側ロータリトランス２２との間のギャップを両者がこすれあうまで狭くして、この状態を基準にしてギャップを僅かにあけるようにしてあるため、ギャップが最初の状態から一気に狭くされ、記録再生信号の品質は効果的に回復される。回転ドラム装置１０及びＤＡＴ記録再生装置は延命され通常に動作を開始する。なお、モータ１６が通常よりも相当に低速で駆動されているため、固定側ロータリトランス２０が回転側ロータリトランス２２に接触してこすれてもロータリトランス２０，２２は傷まない。
【００４１】
なお、制御回路４０Ａ及びメモリ４１はマイクロコンピュータ５０Ａで構成してあり、このマイクロコンピュータ５０Ａは、延命措置のため図７に示すように動作する。
【００４２】
モータ１６を低速で駆動させ（ＳＴ２０）、ピエゾ素子３０−１〜３０−３を駆動させる（ＳＴ２１）。固定側ロータリトランス２０が回転側ロータリトランス２２に接触してこすれる状態となったことを検出すると（ＳＴ２２）、ピエゾ素子３０−１〜３０−３を今までとは逆方向に駆動させる（ＳＴ２３）。
【００４３】
なお、上記の各回転ドラム装置１０、１０Ａにおいて、ピエゾ素子３０−１〜３０−３の代わりに、電圧が印加されて形状を変化させる形状記憶合金を使用することも可能である。
【００４４】
また、前記の回転ドラム装置１０、１０Ａにおいて、前記とは逆に、固定ドラム１１については環状凸部１３ｂを外周側に設け、固定側ロータリトランス２０についてはその外周側の部分を環状凸部に載置させ中心側をピエゾ素子３０−１〜３０−３を介して固定ドラム１１に接着して固定した構成としてもよい。
【００４５】
また、固定側ロータリトランス２０に代わりに、回転側ロータリトランス２２を回転ドラム装置の軸線方向に変位させるようにすることも可能である。
【００４６】
また、ロータリトランスが回転ドラム装置の軸線方向に変位するようにした構成は、上下に固定ドラムが配置され、上下の固定ドラムの間に回転ドラムが配置されている構造の回転ドラム装置、或いは、対向する固定側ロータリトランスと回転側ロータリトランスとが、段違いに二対配置してある構成の回転ドラム装置にも適用可能である。
【００４７】
【発明の効果】
上述の如く、請求項１の発明は、電圧等を印加することによって、固定側ロータリトランスと回転側ロータリトランスとの間のギャップを現在の状態よりも狭くするギャップ狭化手段を有する構成としたものであるため、例えば記録再生信号の品質が低下してきた場合に、ギャップ狭化手段を動作させて固定側ロータリトランスと回転側ロータリトランスとの間のギャップを現在の状態よりも狭くすることによって、再生信号の品質を回復させることが可能となり、回転ドラム装置を延命させて寿命を従来よりも長くすることが出来る。
【００４８】
請求項２の発明は、電圧等を印加することによって、固定側ロータリトランスと回転側ロータリトランスとの間のギャップを現在の状態よりも狭くするギャップ狭化手段と、記録再生信号の品質が低下してきた場合に、ギャップ狭化手段を動作させて、固定側ロータリトランスと回転側ロータリトランスとの間のギャップを現在の状態よりも狭くして、記録再生信号の品質の回復を図る制御手段とよりなる構成としたものであるため、回転ドラム装置が長期間に亘って使用されてきて記録再生信号の品質が低下してきた場合に、ギャップ狭化手段を動作させて固定側ロータリトランスと回転側ロータリトランスとの間のギャップを現在の状態よりも狭くすることによって、記録再生信号の品質を回復させることが可能となり、回転ドラム装置を延命させて寿命を従来よりも長くすることが出来る。
【００４９】
請求項３の発明は、電圧等を印加することによって、固定側ロータリトランスと回転側ロータリトランスとの間のギャップを狭くするギャップ狭化手段と、固定側ロータリトランスと回転側ロータリトランスとがこすれあったことを検出するセンサと、再生信号の品質が低下してきた場合に、ギャップ狭化手段を動作させて、固定側ロータリトランスと回転側ロータリトランスとの間のギャップを狭くし、上記センサが固定側ロータリトランスと回転側ロータリトランスとがこすれあったことを検出した後に、上記ギャップ狭化手段を今までとは逆方向に動作させて、固定側ロータリトランスと回転側ロータリトランスとの間に最初の状態よりも狭いギャップを形成して、記録再生信号の品質の回復を図る制御手段とよりなる構成としたものであるため、固定側ロータリトランスと回転側ロータリトランスとの間のギャップを両者がこすれあうまで狭くして、この状態を基準にしてギャップを僅かにあけるようにしてあるため、ギャップを一気に狭くすることが可能となる。回転ドラム装置が長期間に亘って使用されてきて再生信号の品質が低下してきた場合に、ギャップ狭化手段を動作させて固定側ロータリトランスと回転側ロータリトランスとの間のギャップを最初の状態よりも一気に狭くすることによって、記録再生信号の品質を効果的に回復させることが可能となり、回転ドラム装置を延命させて寿命を従来よりも長くすることが出来る。
【００５０】
請求項４の発明は、請求項１乃至請求項３のうち何れか一項に記載の回転ドラム装置において、該ギャップ狭化手段は、印加される電圧等によって変形するピエゾ素子よりなり、上記固定ドラムは、中心側又は外周側に、上面が回転ドラムの軸線に対して垂直な平面である環状の凸部を有する形状であり、上記固定側ロータリトランスは、中心側又は外周側の部分を上記環状の凸部の上面に載置され、上記環状の凸部の上面に搭載される側の反対側の部分を上記ピエゾ素子を介して上記固定ドラムに接着されて固定してある構成としたものであるため、固定側ロータリトランスの姿勢は中心側又は外周側の部分を上記環状の凸部の上面によって決定されて、固定側ロータリトランスを回転ドラムの軸線に対して垂直の姿勢で固定することが出来る。
【００５１】
請求項５の発明は、請求項２に記載の回転ドラム装置において、上記制御手段は、固定側ロータリトランスと回転側ロータリトランスとの間の最小限ギャップを固定側ロータリトランスと回転側ロータリトランスとの間のインダクタンス値として記憶しておき、この記憶してあるインダクタンス値を参照しつつ上記最小限ギャップにまで到る範囲において、上記ギャップ狭化手段を動作させる構成としたものであるため、インダクタンス値を利用することによって固定側ロータリトランスと回転側ロータリトランスとの間のギャップが最小限ギャップであるか否かを判断出来、ギャップが最小限ギャップであるか否かを判断できることによって、記録再生信号の品質の回復を固定側ロータリトランスと回転側ロータリトランスとがこすれ合う事態を引き起こすことなく行うことが出来る。
【００５２】
請求項６の発明は、請求項２に記載の回転ドラム装置において、上記ギャップ狭化手段は、印加される電圧等によって変形するピエゾ素子よりなり、上記制御手段は、固定側ロータリトランスと回転側ロータリトランスとの間の最小限ギャップを上記ピエゾ素子に印加する電圧値として記憶しておき、この記憶してある電圧値を参照しつつ上記最小限ギャップにまで到る範囲において、上記ピエゾ素子を動作させる構成としたものであるため、電圧値を利用することによって固定側ロータリトランスと回転側ロータリトランスとの間のギャップが最小限ギャップであるか否かを判断出来、ギャップが最小限ギャップであるか否かを判断できることによって、記録再生信号の品質の回復を固定側ロータリトランスと回転側ロータリトランスとがこすれ合う事態を引き起こすことなく行うことが出来る。
【図面の簡単な説明】
【図１】本発明の第１実施例の回転ドラム装置の断面図である。
【図２】図１の回転ドラム装置の一部を拡大して示す図である。
【図３】図１中の制御回路及びメモリを構成するマイクロコンピュータの動作のフローチャートである。
【図４】図３に続くフローチャートである。
【図５】本発明の第２実施例の回転ドラム装置の断面図である。
【図６】図５の回転ドラム装置の一部を拡大して示す図である。
【図７】図５中の制御回路及びメモリを構成するマイクロコンピュータの動作のフローチャートである。
【符号の説明】
１０、１０Ａ  回転ドラム装置
１１  固定ドラム
１３  固定側ロータリトランス取り付け部
１３ａ  環状の平面部
１３ｂ  中央寄りの環状凸部
１３ｃ  環状の頂上平面部
１５  回転ドラム
１６  モータ
１７  回転軸
１０  固定側ロータリトランス
２１  回転磁気ヘッド
２２  回転側ロータリトランス
３０−１、３０−２、３０−３  ピエゾ素子
４０，４０Ａ  制御回路
４１  メモリ
４２  再生回路
４３  エラーレート測定回路
４４  インダクタンス測定回路
４５  ピエゾ素子駆動回路
４６  表示部
４７  表示部駆動回路
５０，５０Ａ  マイクロコンピュータ
６０  センサ
６１  モータ駆動回路
【図１】
2004335054.tif 000003
【図２】
2004335054.tif 000004
【図３】
2004335054.tif 000005
【図４】
2004335054.tif 000006
【図５】
2004335054.tif 000007
【図６】
2004335054.tif 000008
【図７】
2004335054.tif 000009